(57)【要約】【課題】溶接作業を効率よくし、且つ位置決め作業も容易とするエレベータの共用ブラケット装置の据付方法を提供する。【解決手段】第２の固定部材４の位置決めとして、固定ガイド装置１０の位置決め基準部１０ａを昇降路頂部から垂下するカウンタ用芯出し基準線７ａ、７ｂに合せる。  固定ガイド装置１０を一対のカウンターブラケット部材２へ仮固定部材８ｂを用いて仮固定した後、固定ガイド装置１０の第２の固定部材位置決めガイド部１０ｂに合せ、前記第２の固定部材４、メインブラケット部材３へ載置し仮固定部材８ｃを用いて仮固定する。  そして、仮固定部材８ｂを取外し固定ガイド装置１０を取外した後、前記第１の固定部材１とカウンターブラケット部材２と、及び第２の固定部材４とメインブラケット部材３とを同時にそれぞれ溶接固定できる構成とした。【選択図】図４
2005330064.tif 000002
【特許請求の範囲】
【請求項１】
その一端が第１の固定部材を介して昇降路壁に固定されるとともにつりあいおもり用ガイドレールを固定する一対のカウンターブラケット部材と、かご用ガイドレールを固定する第２の固定部材を含み、前記一対のカウンターブラケット部材の他端間を連結するメインブラケット部材とを有して成る略コの字状で形成されたエレベータの共用ブラケット装置の据付方法において、
前記一対の第１の固定部材を前記昇降路壁に位置決め固定するとともに、
昇降路頂部から垂下するカウンタ用芯出し基準線を基準として、前記メインブラケット部材を取付けたカウンターブラケット部材を位置決めして、その一端側を前記第１の固定部材に仮固定部材を用いて仮固定した後、
前記カウンタ用芯出し基準線とその基準部とを合せることにより、前記第２の固定部材の固定位置を示す固定ガイド装置を用いて、この第２の固定部材を位置決めして、前記メインブラケット部材へ仮固定部材を用いて仮固定した後、
前記第１の固定部材とカウンターブラケット部材と、及び前記第２の固定部材と前記メインブラケット部材とをそれぞれ溶接固定し、最後に前記仮固定部材を取外すことにより行うことを特徴とするエレベータの共用ブラケット装置の据付方法。
【発明の詳細な説明】
【技術分野】
【０００１】
エレベータの共用ブラケット装置の据付方法に関する。
【背景技術】
【０００２】
一般的に、展望用エレベータやトランク付エレベータは、乗りかごの間口方向に直交する方向につりあいおもりが走行する、所謂つりあいおもりを横落ちとする方式をとっている。
【０００３】
そして上記つりあいおもりを横落ちとする方式では、乗りかごの昇降をガイドするかご用ガイドレールを固定するメインブラケット部材と、前記乗りかごとロープを介して連結され釣瓶式に昇降する前記つりあいおもりの昇降をガイドするつりあいおもり用ガイドレールを固定するカウンターブラケット部材とが一体的に連結される共用ブラケットの構造をとることが一般的である。
【０００４】
従来における共用ブラケットの構造としては、その一端が昇降路壁に固定されるとともにつりあいおもり用ガイドレールを固定する一対のカウンターブラケット部材と、この一対のカウンターブラケット部材の他端間を連結するとともにかご用ガイドレールを固定するメインブラケット部材とを有して成る略コの字状で形成するものが知られていた（特許文献１参照。）。
【０００５】
そして、この共用ブラケットの位置決め固定方法としては、まず前記一対カウンターブラケット部材を固定するのに用いられる第１の固定部材を前記昇降路壁に位置決め固定した後、
昇降路頂部から垂下するカウンタ用芯出し基準線を基準として、前記メインブラケット部材を取付けたカウンターブラケット部材を位置決めして、その一端側を前記第１の固定部材に溶接固定する。
【０００６】
そしてメインブラケット部材へ、メイン用芯出し基準線を用いて、かご用ガイドレールを把持固定する第２の固定部材位置決めして溶接固定していた。
【特許文献１】実開昭６２−１９１７７２号公報（第１図）
【発明の開示】
【発明が解決しようとする課題】
【０００７】
ところで上記従来技術の共用ブラケット位置決め固定方法によれば、前記第１の固定部材とカウンターブラケット部材、及び前記第２の固定部材と前記メインブラケット部材との溶接固定のタイミングが分散することから、その溶接作業効率を低下させる問題点があった。
【０００８】
また、カウンターブラケット部材及び前記第２の固定部材を、基準線から寸法を追って位置決め固定せねば成らず、その作業が煩雑であるという問題点があった。
【０００９】
本発明は上記不都合を解消するために為されたもので、その目的は、溶接作業を効率よくし、且つ位置決め作業も容易とするエレベータの共用ブラケット装置の据付方法を提供するにある。
【課題を解決するための手段】
【００１０】
本発明は上記目的を達成するために、その一端が第１の固定部材を介して昇降路壁に固定されるとともにつりあいおもり用ガイドレールを固定する一対のカウンターブラケット部材と、かご用ガイドレールを固定する第２の固定部材を含み、前記一対のカウンターブラケット部材の他端間を連結するメインブラケット部材とを有して成る略コの字状で形成されたエレベータの共用ブラケット装置の据付方法において、前記一対の第１の固定部材を前記昇降路壁に位置決め固定するとともに、昇降路頂部から垂下するカウンタ用芯出し基準線を基準として、前記メインブラケット部材を取付けたカウンターブラケット部材を位置決めして、その一端側を前記第１の固定部材に仮固定部材を用いて仮固定した後、前記カウンタ用芯出し基準線とその基準部とを合せることにより、前記第２の固定部材の固定位置を示す固定ガイド装置を用いて、この第２の固定部材を位置決めして、前記メインブラケット部材へ仮固定部材を用いて仮固定した後、
前記第１の固定部材とカウンターブラケット部材と、及び前記第２の固定部材と前記メインブラケット部材とをそれぞれ溶接固定し、最後に前記仮固定部材を取り外すことにより行なうことを特徴とする。
【００１１】
本発明によれば、上記した通り、まず仮固定部材で仮固定した後、第１の固定部材とカウンターブラケット部材、及び第２の固定部材とメインブラケット部材とをそれぞれ連続して溶接固定することが可能なため、その溶接作業効率を向上させることが出来る。
【００１２】
また本発明によれば、第２の固定部材を、固定ガイド装置を用いて、基準線を用いることなく容易に位置決めすることが出来る。
【発明の効果】
【００１３】
本発明のエレベータの共用ブラケット装置の据付方法によれば、溶接作業を効率よくし、且つ位置決め作業も容易とすることが出来る。
【発明を実施するための最良の形態】
【００１４】
以下、本発明の一実施の形態を図面と共に説明する。
【００１５】
まず、本発明の据付方法を用いるエレベータの共用ブラケット位置決め装置の構成について、図５を用いて説明する。図５は、本発明で据付けるエレベータの共用ブラケット装置の構成を示す斜視図である。
【００１６】
図において、エレベータの共用ブラケット装置は、その一端が第１の固定部材１を介して昇降路壁に固定されるとともにつりあいおもり用ガイドレール５ａ、５ｂを固定するカウンターブラケット部材２と、かご用ガイドレール６を固定する第２の固定部材４を含み、前記一対のカウンターブラケット部材２の他端間を連結するメインブラケット部材４を有して略コの字状で構成されている。
【００１７】
次に図１，２，３，４を用いて本発明であるエレベータの共用ブラケット位置決め装置の据付方法を説明する。ここで図１〜３は、本発明であるエレベータの共用ブラケット装置の据付方法を示す斜視図、図４は本発明であるエレベータの共用ブラケット装置の据付方法を示す平面図である。
【００１８】
まず、図１に示す通り、昇降路頂部から垂下するカウンタ用芯出し基準線７ａ、７ｂを基準として前記一対の第１の固定部材１を前記昇降路壁に位置決め固定する。
【００１９】
そして、一対のカウンターブラケット部材２の他端間をメインブラケット部材３で連結した後、このカウンターブラケット部材２を、前記カウンタ用芯出し基準線７ａ、７ｂを基準として位置決めし、仮位置決めした状態で、その一端側を前記第１の固定部材１にシャコ型万力等の仮固定部材８ａを用いて仮固定する。
【００２０】
この状態で図２に示すように、カウンターブラケット部材２の固定位置を示す昇降路頂部から垂下するカウンタ用芯出し基準線７ａ、７ｂを基準として、差し金９ａ、９ｂを用いて、カウンターブラケット部材２を位置決めするよう図示しないハンマー等でカウンターブラケット部材２を叩いて本位置決めし、仮固定部材８ａを用いて固定する。
【００２１】
この状態で、図３に示すように、前記第２の固定部材４の位置決めとして、固定ガイド装置１０の位置決め基準部１０ａを昇降路頂部から垂下するカウンタ用芯出し基準線７ａ、７ｂに合せる。
【００２２】
さらに図４に示す通り、固定ガイド装置１０を一対のカウンターブラケット部材２へ仮固定部材８ｂを用いて仮固定した後、固定ガイド装置１０の第２の固定部材位置決めガイド部１０ｂに合せ、前記第２の固定部材４を、メインブラケット部材３へ載置し仮固定部材８ｃを用いて仮固定する。
【００２３】
そして、仮固定部材８ｂを取り外し固定ガイド装置１０を取り外した後、前記第１の固定部材１とカウンターブラケット部材２、及び第２の固定部材４とメインブラケット部材３とをそれぞれ溶接固定し、最後に前記仮固定部材８ａ、８ｃを取り外すことにより本発明の据付作業は終了する。
【００２４】
以上のように本発明によれば、第２の固定部材４を、固定ガイド装置１０を用いて、基準線を用いることなく容易に位置決めすることが出来る。且つ溶接作業を連続して行なうことが出来るため作業効率が良くなる。
【図面の簡単な説明】
【００２５】
【図１】エレベータの共用ブラケット装置の据付方法を示す斜視図。
【図２】エレベータの共用ブラケット装置の据付方法を示す斜視図。
【図３】エレベータの共用ブラケット装置の据付方法を示す斜視図。
【図４】エレベータの共用ブラケット装置の据付方法を示す平面図。
【図５】エレベータの共用ブラケット装置の構成を示す斜視図。
【符号の説明】
【００２６】
１    第１の固定部材
２    カウンターブラケット部材
３    メインブラケット部材
４    第２の固定部材
５ａ、５ｂ  つりあいおもり用ガイドレール
６    メイン用ガイドレール
７ａ、７ｂ  カウンタ用芯出し基準線
７ｃ    メイン用芯出し基準線
８ａ、８ｂ、８ｃ  シャコ型万力等の仮固定部材
９ａ、９ｂ  差し金
１０    固定ガイド装置
１０ａ  位置決め基準部
１０ｂ  第２の固定部材位置決めガイド部
【図１】
2005330064.tif 000003
【図２】
2005330064.tif 000004
【図３】
2005330064.tif 000005
【図４】
2005330064.tif 000006
【図５】
2005330064.tif 000007